【手続補正書】
【提出日】平成19年6月7日(2007.6.7)
【手続補正１】
【補正対象書類名】明細書
【補正対象項目名】全文
【補正方法】変更
【補正の内容】
【書類名】      明細書
【発明の名称】  弾球遊技機
【特許請求の範囲】
【請求項１】  透明板を保持する透明板保持枠を前面枠に開閉自在に取り付けた弾球遊技機において、
前記透明板保持枠は、
合成樹脂からなる枠装飾体と、
該枠装飾体を表面側に取り付けた補強金属体と、
を備え、
少なくとも前記補強金属体には、前記透明板を臨設する開口を形成したことを特徴とする弾球遊技機。
【請求項２】  前記透明板保持枠は、前記前面枠に対して着脱自在に設けたことを特徴とする請求項１記載の弾球遊技機。
【請求項３】  前記補強金属体は、金属部材が枠状に組み合わされてなることを特徴とする請求項１又は請求項２記載の弾球遊技機。
【請求項４】  前記補強金属体は、前記枠装飾体の裏面全域とほぼ同一面積を有する１枚の金属板からなり、少なくとも一部に前記透明板により視認できる遊技領域に沿った部分を有する形状に前記開口を穿設したことを特徴とする請求項１又は請求項２記載の弾球遊技機。
【請求項５】  前記金属板には、前記枠装飾体の裏面に取り付けられる構成部材を裏面側に逃がす逃げ穴を設けたことを特徴とする請求項４記載の弾球遊技機。
【発明の詳細な説明】
【０００１】
【発明の属する技術分野】
本発明は、透明板を保持する透明板保持枠を前面枠に開閉自在に取り付けた弾球遊技機に関するものである。
【０００２】
【従来の技術】
従来、一般に、弾球遊技機には、透明板を保持する透明板保持枠が前面枠に対して開閉自在に設けられていた。これにより、前面枠の前面に取り付けられた遊技盤の遊技領域が透明板を介して視認でき、然も遊技領域内の障害釘に玉詰りが生じた際には、従業員による透明板保持枠の開放によって玉詰りが即座に解消されるようになっていた。また、近年では、このような透明板保持枠を合成樹脂で形成することにより、弾球遊技機の前面に斬新なデザインを施して遊技の興趣を向上するものが提案されていた。
【０００３】
【発明が解決しようとする課題】
ところが、上記した透明板保持枠を合成樹脂で形成した場合には、金属製のものに比べて強度が落ち、然も透明板を臨設するための開口を大部分に設ける必要があるため、破損や変形等が生じ易く耐久性の面で問題を有していた。本発明は、上記した事情に鑑みなされたもので、その目的とするところは、合成樹脂製の枠装飾体の裏面側に補強金属体を一体的に設けることで、透明板保持枠において斬新なデザインと高強度とを両立し得る弾球遊技機を提供することにある。
【０００４】
【課題を解決するための手段】
上記目的を達成するために本発明の請求項１が採用した解決手段は、図３及び図６に示すように、透明板（複層ガラス板９１）を保持する透明板保持枠（ガラス板保持枠４・１００）を前面枠３に開閉自在に取り付け弾球遊技機において、前記ガラス板保持枠４・１００は、合成樹脂からなる枠装飾体５０・１１０と、該枠装飾体５０・１１０を表面側に取り付けた補強金属体（補強金属板７０、補強金属枠１２０）と、を備え、少なくとも前記補強金属体には、前記複層ガラス板９１を臨設する開口（円形透視窓５）を形成したことを特徴とする。このように構成することにより、複層ガラス板９１を臨設するための円形透視窓５をガラス板保持枠４・１００の大部分に設け、尚且ガラス板保持枠４・１００の前面側に斬新なデザインを施すべく合成樹脂で枠装飾体５０・１１０を形成しても、ガラス板保持枠４・１００を高強度に維持することができ、ひいては斬新なデザインと高強度とを両立したガラス板保持枠４・１００を提供することができる。
【０００５】
また、前記ガラス板保持枠４・１００を前記前面枠３に対して着脱自在に設けた場合には、ガラス板保持枠４・１００乃至これに取り付けられた各種構成部材の修理、交換が容易に行える。
【０００６】
また、前記補強金属体は、図７に示すように、金属部材１２１〜１２４が枠状に組み合わされてなる構成としたり、あるいは図４（Ａ）に示すように、前記枠装飾体５０の裏面全域とほぼ同一面積を有する１枚の金属板（補強金属板７０）からなる構成とすることで、具現化することができる。
【０００７】
また、前記補強金属体を補強金属板７０から構成し、少なくとも一部に前記複層ガラス板９１により視認できる遊技領域に沿った部分を有する形状に前記円形透視窓５を穿設した場合には、補強金属板７０の隅角部分の面積を広くとることができるので、補強金属板７０自体の強度、ひいてはガラス板保持枠４の強度を向上することができる。
【０００８】
また、前記補強金属板７０には、前記枠装飾体５０の裏面に取り付けられる構成部材（スピーカ１０ａ・１０ｂ、基板５５〜５７、透明部材５９）を裏面側に逃がす逃げ穴７５〜７９を設けた場合には、ガラス板保持枠４を軽量化することができ、さらには枠装飾体５０と補強金属板７０との間隔を極力狭めて、枠装飾体５０と補強金属板７０とを一体化することで、ガラス板保持枠４の強度向上を招来することができる。
【０００９】
【発明の実施の形態】
以下、図面を参照して、本発明の実施形態について説明する。まず、図１乃至図３を参照して弾球遊技機１の全体の構成について説明する。弾球遊技機１は、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられるガラス板保持枠４と、から構成されている。前面枠３に設けられる主要構成部としては、ガラス板保持枠４、遊技盤４０、上皿１２、灰皿２１を含む下皿１８、操作ハンドル２２などがある。また、図示の実施形態では、弾球遊技機１の側方に遊技者に遊技玉を貸し出すためのユニット装置としてのカードユニット装置３０が付設されている。
【００１０】
ガラス板保持枠４には、遊技盤４０の遊技領域をほぼ透視し得る円形透視窓５が開設されている。なお、透視窓５は、特に円形に限定するものではなく例えば方形等でもよいが、強度を考慮すると円形が望ましい。また、ガラス板保持枠４には、円形透視窓５の外周に沿って、その上部に装飾ＬＥＤ７が、その左右両側方に装飾蛍光灯６ａ・６ｂが設けられている。この装飾ＬＥＤ７や装飾蛍光灯６ａ・６ｂは、遊技状態に応じて点灯又は点滅されるものであり、特別の遊技状態の発生時や継続時を遊技者に報知すると共に遊技の雰囲気を盛り上げるものである。また、ガラス板保持枠４の軸支側上部には、払い出すべく景品玉が不足したことを報知する玉切れＬＥＤ８や、入賞玉の発生に基づいて所定個数の景品玉が払い出されたことを報知する払出ＬＥＤ９が設けられ、更に、ガラス板保持枠４の上部左右に遊技の進行に応じた効果音を発生するスピーカ１０ａ・１０ｂが設けられている。なお、上記した構成のうち、装飾ＬＥＤ７や玉切れＬＥＤ８及び払出ＬＥＤ９は、複数のＬＥＤがプリント配線基板上に実装されるように構成されるものであるが、このプリント配線基板を金属ベースプリント配線基板で構成することにより、ＬＥＤから発生される熱の放熱効果を高めることができる。
【００１１】
次に、ガラス板保持枠４の下部で開閉自在に取り付けられる上皿１２の構成について説明すると、上皿１２は、合成樹脂製の上皿開閉板１１の表面に複数の合成樹脂製部材を組合せた皿部材を固着することにより構成されている。上皿開閉板１１には、その開放側の上端に玉抜き操作レバー１６が設けられている。この玉抜き操作レバー１６は、左右方向に移動可能に設けられ、図示しないスプリングの付勢力に抗して一方向に移動させることにより、上皿１２に貯留されていた玉を上皿開閉板１１の裏面に形成される玉抜き路（図示しない）を流下させて下皿２４に誘導するものである。また、上皿１２には、その内部に圧電ブザー１７が内蔵されている。この圧電ブザー１７は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【００１２】
上記した上皿１２について、さらに詳細に説明すると、上皿１２は、その上流側に形成される賞球払出口１４とその下流側に形成される打球供給口１５とを連絡するように貯留整列路１３が形成されており、その貯留整列路１３の中程底面裏面に上皿玉検出器（図示しない）が設けられている。この上皿玉検出器は、上皿１２に残留する打玉を検出するものである。また、上皿１２には、弾球遊技機１に隣接して設けられるカードユニット装置３０を介して遊技玉を借り受ける際に操作する操作部が設けられている。なお、この操作部は、玉貸スイッチ、返却スイッチ、自動玉貸スイッチ、度数表示ＬＥＤ、及び自動玉貸表示ＬＥＤ（共に図示しない）から構成されている。玉貸スイッチは、カードユニット装置３０によって遊技玉を借り受ける際に操作するものである。返却スイッチは、遊技終了の際にカードユニット装置３０のカード挿入口３３に差し込まれたカードを返却するためのものである。度数表示ＬＥＤは、カードユニット装置３０のカード挿入口３３に差し込まれたカードの残額が表示されるものである。また、自動玉貸スイッチは、借り受けるべき遊技玉を前記玉貸スイッチを操作して行うマニュアルモードと、上皿１２の打玉の残量が前記上皿玉検出器によって検出されなくなったときに自動的に遊技玉を払い出す自動モードと、のいずれかのモードに設定するものであり、自動モータが選択設定されているときには、自動玉貸表示ＬＥＤが点灯している。
【００１３】
しかして、後述する遊技盤４０の遊技内容において大当り遊技状態が発生すると、短時間に多量の入賞玉を獲得するチャンスがある。このように大当り遊技状態という遊技者にとって極めて大きなチャンスは、上皿１２の残留玉がほとんどなくなった時点で発生する場合もあり、このような場合、続けて打玉を発射させて打玉を可変入賞球装置４２の特定入賞領域に入賞させる必要があるにも拘らず、打玉が上皿１２に残存しないので、慌てて玉貸スイッチを操作して遊技玉を借り受けなければならない。しかし、玉貸スイッチを操作してから遊技玉が払い出され、しかもその玉が発射されて可変入賞球装置４２の特定入賞領域に到達するまでに多少の時間がかかるため、その時間の間に有利なチャンス（継続権の成立）を逃してしまうという不都合があるが、本実施形態においては、自動玉貸スイッチを自動モードに設定しておけば、上皿玉検出器１８が打玉の不存在を検出した時点で自動的に遊技玉を上皿１２に払い出すので、上記したような不都合は生じない。なお、上皿１２として上記した制御を行わないならば、上皿玉検出器及び自動玉貸スイッチを省略したものでも良い。
【００１４】
また、前面枠３の下部に取り付けられる下皿１８は、前記上皿１２から溢れた賞球であって余剰玉通路（図示しない）を介して余剰玉払出口１９から排出される余剰の賞球を貯留するものであり、その余剰玉を貯留する下皿基体１８ａと、該下皿基体１８ａの外周に装飾的に取り付けられる装飾外壁体１８ｂと、から構成されている。なお、装飾外壁体１８ｂは、その裏面側に形成された係合凸部１８ｃが前面枠３側の係止溝３ａに係合され、且つ前面枠３側の係止爪３ｂに係止されることで前面枠３に取り付けられている。装飾外壁体１８ｂの前面壁には、玉抜き操作レバー２０がスライド可能に取り付けられている。そして、この玉抜き操作レバー２０を操作することで、下皿基体１８ａに貯留された賞球の下方への抜き出しを可能にして、持ち運び可能な玉箱に賞球を移し替えるようになっている。また、装飾外壁体１８ｂの左側部分には、灰皿２１が設けられ、下皿１８が取り付けられた前面枠３の右側には、操作ハンドル２２が設けられている。操作ハンドル２２は、その取付基板２２ａに形成された係合凸部１８ｃが前面枠３側の係止凹部３ｃに係合され、且つ前面枠３側の係止爪３ｄに係止されることで前面枠３に取り付けられている。そして、操作ハンドル２２は、前面枠３側に固設された打球発射装置２３の駆動を開始せしめるメインスイッチ及びタッチアンテナ（共に図示しない）を内蔵して弾発力を調節するようになっている。
【００１５】
弾球遊技機１の正面構造は、概ね上記した通りであるが、図示の実施形態では、弾球遊技機１にカードユニット装置３０が隣接されている。このカードユニット装置３０は、前記上皿１２の上面に設けられる前述した操作部を操作することにより作動されるものである。しかして、カードユニット装置３０は、使用可能状態であるか否かを表示する使用可能表示器３１と、当該カードユニット装置３０がいずれの側の弾球遊技機１に対応しているか否かを表示する連結台方向表示器３２と、記録媒体としての磁気カードを挿入するカード投入口３３とが設けられている。そして、このように構成されるカードユニット装置３０は、独自の制御回路によって制御されるものであるが、上皿１２に設けられる玉貸スイッチ、返却スイッチ、及び度数表示ＬＥＤや、後述する制御基板ボックス６４内に収納された賞球払出制御基板６３と接続されている。なお、カードユニット装置３０を弾球遊技機１に内蔵しても良い。なお、本実施形態においては、遊技者に遊技玉を貸し出すためのユニット装置としてカードユニット装置３０を例示したが、例えば、紙幣等を挿入し得るユニット装置であっても良い。
【００１６】
次に、遊技盤４０の正面構造について説明すると、遊技盤４０は、ほぼ正方形状の合板により形成され、その表面には、円形うず巻状に誘導レール４０ａ（図３参照）が取り付けられ、該誘導レール４０ａの内側が遊技領域とされて発射された打玉が落下するものである。遊技領域には、図１に示すように、ドラム状可変表示装置４１や可変入賞球装置４２やドラム状可変表示装置４１の可変表示を許容する始動入賞口４３が設けられると共に、単に打玉を入賞とする入賞口４４・４５、打玉の流下方向及び速度を変化せしめる風車又は多数の障害釘が設けられ、また、遊技領域の最下方には、いずれの入賞領域にも入賞しない打玉が取り込まれるアウト口４６が設けられている。一方、弾球遊技機１裏面となる前面枠３の裏面側には、図２に示すように、多量の賞球を貯留する玉タンク２４、可変表示装置４１などの各種装置の作動を制御する遊技制御回路基板２５、外枠２に対して前面枠３を施錠する施錠装置２６、等が設けられている。施錠装置２６は、上皿開閉板１１の前面に臨設されるシリンダー錠２６ａと、該シリンダー錠２６ａの鍵操作によってスライド移動する係合フック２６ｂと、を備え、外枠２に設けられた係止金具２ａに対して係合フック２６ｂを係合及び係脱することによって前面枠３の施錠及びその解除を行うようになっている。
【００１７】
ところで、上記した施錠装置２６は、ガラス板保持枠４を前面枠３に施錠するようにもなっている。具体的には、前面枠３に対してガラス板保持枠４を閉塞した状態で、後述する係合フック８２が前面枠３に穿設されたフック挿通口３ｅを挿通して施錠装置２６と係合することにより、ガラス板保持枠４の閉塞状態が保持（施錠）されるようになっている。また、ガラス板保持枠４の開放は、前面枠３を開放した状態で施錠装置２６に設けられた開放操作部２６ｃを操作することで行われる。また、ガラス板保持枠４は、シリンダー錠２６ａの鍵操作によって（前面枠３を開放する方向と逆方向に回転させる）も開放される。一方、前面枠３の周縁部分には、ガラス板保持枠４の閉塞時、後述する枠装飾体５０及び補強金属板７０の各周縁フランジ部５１・７１の先端部分と当接して隙間をなくし、周縁部分からの不正行為を防止する段差部３ｆが形成されている。また、前面枠３の一側上下には、外枠２の一側上下に形成された軸挿入穴２ｂに軸支されて前面枠３を開閉（回動）自在に取り付ける回動軸部３ｇが設けられている。さらには、前面枠３の一側には、ガラス板保持枠４及び上皿開閉板１１を個々に開閉（回動）自在に取り付ける回動取付部３ｈが３箇所に設けられている。
【００１８】
以上で、弾球遊技機１の全体の概略構成を説明したが、以下、弾球遊技機１を構成する要素のうち、ガラス板保持枠４の詳細な構成について説明する。ガラス板保持枠４は、図３に示すように、合成樹脂製の枠装飾体５０と、該枠装飾体５０の裏面側に取り付けられてガラス板保持枠４としての強度を向上する補強金属板７０と、ガラス板ユニット９０と、から構成されている。枠装飾体５０は、図４（Ｂ）に示すように、ほぼ正方形状の合成樹脂板からなり、その中央には前記円形透視窓５が穿設されている。枠装飾体５０の周縁には、ほぼ全周に亘って周縁フランジ部５１が形成されており、枠装飾体５０の強度向上に加えて外部からの不正侵入を防止（防犯）するようになっている。枠装飾体５０の裏面側には、補強リブ５２と、補強金属板７０を取り付けるための取付ボス５３と、ガラス板ユニット９０を取り付けるための取付ピン５４と、が形成されている。また、枠装飾体５０の裏面には、前記スピーカ１０ａ・１０ｂがビス止めされると共に、前記装飾蛍光灯６ａ・６ｂ、装飾ＬＥＤ７、玉切れＬＥＤ８、及び払出ＬＥＤ９の各基板５５〜５７が取付爪５８を介して取り付けられている。なお、玉切れＬＥＤ８と払出ＬＥＤ９は、同一の基板５７上に設けられている。また、枠装飾体５０の下側には、窓開口が左右二箇所に穿設されている。この窓開口の裏面側には、透明部材５９がビス止めされ、遊技盤４０に貼付される証紙（図示しない）を透視するための証紙透視部６０として形成されている（図１参照）。枠装飾体５０の一側上部には、前記回動取付部３ｈのピン挿入穴（図示しない）に軸支される軸支ピン６１が設けられている。軸支ピン６１は、枠装飾体５０に対して上下方向にスライド自在に設けられ、その下端部分には軸支ピン６１を上方向に付勢するスプリング６２が取り付けられている。一方、枠装飾体５０の一側下部には、回動取付部３ｈの軸支ピン（図示しない）を軸支する軸受金具６３がビス止めされている。
【００１９】
補強金属板７０は、図４（Ａ）に示すように、その中央に円形透視窓５が穿設されて枠装飾体５０とほぼ同一の形状をなしている。補強金属板７０の周縁には、枠装飾体５０と同様に、ほぼ全周に亘って周縁フランジ部７１が形成されており、補強金属板７０の強度向上に加えて外部からの不正侵入を防止（防犯）するようになっている。なお、周縁フランジ部７１は、枠装飾体５０及び補強金属板７０の組み付け状態で、周縁フランジ部５１と段差状をなし、ガラス板保持枠４の閉塞時には、前面枠３の段差部３ｆと当接して隙間をなくすため、防犯効果をより一層高めるようになっている。また、周縁フランジ部５１・５７は、矩形状をなすガラス板保持枠４の少なくとも一辺に設けられるものでもよい。また、補強金属板７０には、補強隆起部７２が裏面側に隆起して形成されると共に、前記取付ボス５３にビス８３（図５（Ａ）参照）止めするための取付穴７３が穿設されている。なお、補強隆起部７２は、矩形状をなす補強金属板７０の四辺にそれぞれ設けられると共に、その辺に対して平行に設けられている。このため、補強隆起部７２は、部分的に偏ることなく均等に補強金属板７０の強度を向上させている。但し、補強隆起部７２は、補強金属板７０の少なくとも一辺に設けられるものでもよい。また、その辺に対しては、平行に設けるのが望ましいが、屈曲して平行でないものでもよい。さらに、補強金属板７０には、枠装飾体５０への取り付け状態で、前記取付ピン５４、スピーカ１０ａ・１０ｂ、各基板５５〜５７、及び透明部材５９を裏面側に逃がすための逃げ穴７４〜７９が穿設されると共に、スピーカ１０ａ・１０ｂ及び各基板５５〜５７に接続される配線８０（図５（Ａ）参照）をまとめて押え、これを前面枠３の裏側に導く配線押え爪８１が形成されている。補強金属板７０の一側には、図５（Ｂ）にも示すように、上下一対の係合フック８２が設けられている。この係合フック８２は、前述したように前面枠３に穿設されたフック挿通口３ｅを挿通して施錠装置２６と係合することにより、ガラス板保持枠４の閉塞状態を保持（施錠）するようになっている。
【００２０】
ガラス板ユニット９０は、図３に示すように、円形状の複層ガラス板９１と、該複層ガラス板９１の外周に沿って取り付けられる環状のガラス枠９２と、を備えている。ガラス枠９２の外周であってその上下左右の４か所には、枠装飾体５１の取付ピン５４と個々に対応して取付片９３が形成されている。取付片９３には、取付ピン５４を挿通するための挿通穴と、後述する止め金具９４をビス９５止めするための取付穴（共に図示しない）と、が穿設されている。
【００２１】
しかして、上記したガラス板保持枠４は、スピーカ１０ａ・１０ｂ、基板５５〜５７、及び透明部材５９が枠装飾体５０の裏面に取り付けられ、その枠装飾体５０の取付ボス５３を介して補強金属板７０の取付穴７３がビス８３止めされる。なお、この状態でスピーカ１０ａ・１０ｂ、取付ピン５４、基板５５〜５７、及び透明部材５９は、逃げ穴７４〜７９を挿通して補強金属板７０の裏面側に配されている。即ち、枠装飾体５０と補強金属板７０との間隔を極力狭めて、枠装飾体５０と補強金属板７０とを一体化することで、ガラス板保持枠４の強度向上を招来している。そして、逃げ穴７４を挿通して配された取付ピン５４にガラス枠９２が止め金具９４を介して取り付けられることで、一体化された枠装飾体５０及び補強金属板７０の裏面側からガラス板ユニット９０が取り付けられる。これにより、枠装飾体５０及び補強金属板７０の円形透視窓５は、ガラス板ユニット９０の複層ガラス板９１によって被覆された状態となる。なお、ガラス板ユニット９０の具体的な取り付けは、取付片９３の挿通穴を挿通した取付ピン５４に止め金具９４の取付穴（図示しない）を嵌合して取り付け、この状態で止め金具９４を取付片９３の取付穴にビス９５止めすることで行われる。その後は、補強金属板７０の裏面側に配されたスピーカ１０ａ・１０ｂ及び基板５５〜５７に配線８０が接続され、これを配線押え爪８１でまとめて押え込むことにより、ガラス板保持枠４としての組付体が完成される。
【００２２】
また、上記のようにして組み付けられたガラス板保持枠４は、軸受金具６３のピン挿入穴（図示しない）に回動取付部３ｈの軸支ピンを軸支した状態で、スプリング６２の付勢力に抗して軸支ピン６１を下方向にスライドさせ、その後、軸支ピン６１を上方向にスライドさせて回動取付部３ｈのピン挿入穴に挿入させることで、前面枠３に対して回動（開閉）自在に取り付けられる。なお、ガラス板保持枠４は、前面枠３への取り付け状態で、スプリング６２の付勢力に抗して軸支ピン６１を下方向にスライドさせ、回動取付部３ｈのピン挿入穴に対する軸支ピン６１の挿入状態を解除することによって簡単に前面枠３から取り外すことができる。即ち、ガラス板保持枠４は、前面枠３に対して着脱自在な構成となっている。
【００２３】
以上のように、本実施形態に係るガラス板保持枠４は、合成樹脂からなる枠装飾体５０と、該枠装飾体５０の裏面側に一体的に設けられる補強金属板７０と、を備え、枠装飾体５０及び補強金属板７０には、複層ガラス板９１を臨設する円形透視窓５を形成したことを特徴とする。このように構成することにより、複層ガラス板９１を臨設するための円形透視窓５をガラス板保持枠４の大部分に設け、尚且ガラス板保持枠４の前面側に斬新なデザインを施すべく合成樹脂で枠装飾体５０を形成しても、ガラス板保持枠４を高強度に維持することができ、ひいては斬新なデザインと高強度とを両立したガラス板保持枠４を提供することができる。
【００２４】
また、前記ガラス板保持枠４を前記前面枠３に対して着脱自在に設けたので、ガラス板保持枠４乃至これに取り付けられた各種構成部材の修理、交換が容易に行える。また、前記枠装飾体５０の裏面全域とほぼ同一面積を有する１枚の補強金属板７０に対して、円形透視窓５を穿設したので、補強金属板７０の隅角部分の面積を広くとることができ、補強金属板７０自体の強度、ひいてはガラス板保持枠４の強度を向上することができる。なお、本実施形態では、円形状の透明板（複層ガラス板９１）に合せて、透明板を臨設する開口（円形透視窓５）を円形状としているが、これに限定するものではない。但し、透明板を臨設する開口の少なくとも一部に透明板により視認できる遊技領域に沿った部分（例えば、半円形状や多角形状など）を設けることで、補強金属板の隅角部分の面積を広くとり、ガラス板保持枠の強度を向上することが望ましい。また、前記補強金属板７０には、前記枠装飾体５０の裏面に取り付けられる構成部材（スピーカ１０ａ・１０ｂ、基板５５〜５７、透明部材５９）を裏面側に逃がす逃げ穴７５〜７９を設けたので、ガラス板保持枠４を軽量化することができ、さらには枠装飾体５０と補強金属板７０との間隔を極力狭めて、枠装飾体５０と補強金属板７０とを一体化することで、ガラス板保持枠４の強度向上を招来することができる。また、補強金属板は、矩形状の一枚板から構成されているので、部分的に複数の補強金属板で補強するよりもはるかに高い強度を有している。
【００２５】
なお、上記実施形態（第一実施形態）は、本発明を限定するものではなく、本発明の範囲内で種々の変更が可能である。以下に、その他の構成を第二及び第三の実施形態として説明する。なお、以下の説明では、第一実施形態と同様の構成部材については同一の符号を付記すると共に、その詳細な説明を省略する。先ず、第二実施形態のガラス板保持枠１００について説明する。ガラス板保持枠１００は、図６乃至図８に示すように、合成樹脂製の枠装飾体１１０と、該枠装飾体１１０の裏面側に取り付けられてガラス板保持枠１００としての強度を向上する補強金属枠１２０と、ガラス板ユニット９０と、から構成されている。
【００２６】
枠装飾体１１０は、ほぼ正方形状の合成樹脂板からなり、その中央には円形透視窓５が穿設されている。枠装飾体１１０の上周縁及び左右の各周縁には、それぞれ周縁フランジ部１１１が形成されており、枠装飾体１１０の強度向上に加えて外部からの不正侵入を防止（防犯）するようになっている。左右の各周縁フランジ部１１１は、枠装飾体１１０に補強金属枠１２０を取り付けた状態で、補強金属枠１２０が裏面側から外れないような断面コの字のレール形状をなしている。枠装飾体１１０の裏面上側には、補強金属枠１２０を枠装飾体１１０に取り付け固定するための取付爪１１２が左右一対に形成されている。また、枠装飾体１１０の裏面には、スピーカ１０ａ・１０ｂを取り付けるための係止突起１１３と、各基板５５〜５７を取り付けるための取付爪１１４と、が形成されている。なお、枠装飾体１１０の下側には、前記枠装飾体５０と同様に、証紙透視部を形成すべく透明部材５９がビス止めされている。
【００２７】
補強金属枠１２０は、空洞部を有する柱状の金属部材１２１〜１２４が矩形状に組み合わされて形成されている。また、補強金属枠１２０の上側部分には、補強金属枠１２０の強度を向上するために補強金属体１２５・１２６が組み合わされている。補強金属枠１２０の一側辺を形成する金属部材１２２には、上下一対の係合フック１２７が設けられている。この係合フック１２７は、前記係合フック８２と同様に、前面枠３に穿設されたフック挿通口３ｅを挿通して施錠装置２６と係合し、ガラス板保持枠４の閉塞状態を保持（施錠）するようになっている。一方、補強金属枠１２０の他側辺を形成する金属部材１２３の上部には、回動取付部３ｈのピン挿入穴に軸支される軸支ピン１２８が設けられている。軸支ピン１２８は、前記軸支ピン６１と同様に、枠装飾体１１０に対して上下方向にスライド自在に設けられ、その下端部分には軸支ピン１２８を上方向に付勢するスプリング（図示しない）が取り付けられている。また、金属部材１２３の下部には、回動取付部３ｈの軸支ピンを軸支する軸受穴１２９が穿設されている。
【００２８】
また、補強金属体１２５と補強金属枠１２０の下辺を形成する金属部材１２４には、ガラス板ユニット９０を補強金属枠１２０に取り付け固定するための取付ピン１３０が形成されており、補強金属体１２６には、枠装飾体１１０の係止突起１１３に取り付けられたスピーカ１０ａ・１０ｂをその裏面側から係止する係止溝１３１が形成されている。
【００２９】
しかして、上記したガラス板保持枠１００は、スピーカ１０ａ・１０ｂ、基板５５〜５７、及び透明部材５９が枠装飾体１１０の裏面に取り付けられ、その枠装飾体１１０の下辺部分から補強金属枠１２０がレール形状をなす左右の周縁フランジ部１１１に沿ってスライド挿入され、金属部材１２１が取付爪１１２に係合して取り付けられることにより、補強金属枠１２０が枠装飾体１１０に一体的に取り付けられる。そして、補強金属枠１２０の取付ピン１３０にガラス枠９２が止め金具９４を介して取り付けられることで、一体化された枠装飾体１１０及び補強金属板１２０の裏面側からガラス板ユニット９０が取り付けられて、ガラス板保持枠１００としての組付体が完成される。また、ガラス板保持枠１００は、前記ガラス板保持枠４と同様に、スプリングによって常時上方向へのスライドが付勢された軸支ピン１２８を備えることで、前面枠３に対して着脱自在な構成となっている。
【００３０】
以上のように、第二実施形態のガラス板保持枠１００は、合成樹脂からなる枠装飾体１１０の裏面側に設けられる補強金属枠１２０を、空洞部を有する柱状の金属部材１２１〜１２４を矩形状に組み合わせて構成している。これにより、複層ガラス板９１を臨設するための円形透視窓５をガラス板保持枠１００の大部分に設け、尚且ガラス板保持枠１００の前面側に斬新なデザインを施すべく合成樹脂で枠装飾体１１０を形成しても、ガラス板保持枠１００を高強度に維持することができ、ひいては斬新なデザインと高強度とを両立したガラス板保持枠１００を提供することができる。また、矩形状に組み合せたので、金属部材を別々に取り付けた場合よりもはるかに強度が高い。
【００３１】
また、上記した第一及び第二の実施形態では、装飾蛍光灯６ａ・６ｂ、装飾ＬＥＤ７、玉切れＬＥＤ８、及び払出ＬＥＤ９の発光装飾装置をガラス板保持枠に取り付けた構成としているが、この構成に限定するものではない。即ち、図９に示す第三実施形態のように、発光装飾装置（ランプ１４０、ランプ基板１４１、配線１４２など）を前面枠３に取り付けた構成としてもよい。なお、この場合、ガラス板保持枠１５０を構成する補強金属板１５１には、ランプ１４０からの発光を前方に透過する透過穴１５２を穿設する必要がある。また、第三実施形態のように、補強金属板１５１の隅角に切欠部１５３を設けることで、ガラス板保持枠１５０と前面枠３との取り付けをパンタグラフ式の連結蝶番１５４によって行うことも可能である。また、補強金属板は、一枚板に限定するものではなく、溶接（スポット溶接）などで複数の板を一体化したものでもよい。また、枠装飾体は、補強金属板又は補強金属枠を全て覆った構成としているが、これに限らず、補強金属板又は補強金属枠の一部が表面に露出したものでもよい。また、枠装飾体は、一体化したものでなくてもよい。つまり、複数の装飾部材がベースとなる補強金属板に取り付けられたものであってもよい。
【００３２】
【発明の効果】
以上、説明したところから明らかなように、本発明の請求項１においては、透明板を保持する透明板保持枠を前面枠に開閉自在に取り付けた弾球遊技機において、前記透明板保持枠は、合成樹脂からなる枠装飾体と、該枠装飾体を表面側に取り付けた補強金属体と、を備え、少なくとも前記補強金属体には、前記透明板を臨設する開口を形成したことを特徴とする。このように構成することにより、透明板を臨設するための開口を透明板保持枠の大部分に設け、尚且透明板保持枠の前面側に斬新なデザインを施すべく合成樹脂で枠装飾体を形成しても、透明板保持枠を高強度に維持することができ、ひいては斬新なデザインと高強度とを両立した透明板保持枠を提供することができる。
【００３３】
また、本発明の請求項２においては、前記透明板保持枠は、前記前面枠に対して着脱自在に設けたことを特徴とする。このように構成することにより、透明板保持枠乃至これに取り付けられた各種構成部材の修理、交換が容易に行える。
【００３４】
また、本発明の請求項３においては、前記補強金属体は、金属部材が枠状に組み合わされてなることを特徴とする。このように構成することにより、斬新なデザインと高強度とを両立した透明板保持枠を具現化することができる。
【００３５】
また、本発明の請求項４においては、前記補強金属体は、前記枠装飾体の裏面全域とほぼ同一面積を有する１枚の金属板からなり、少なくとも一部に前記透明板により視認できる遊技領域に沿った部分を有する形状に前記開口を穿設したことを特徴とする。このように構成することにより、斬新なデザインと高強度とを両立した透明板保持枠を具現化することができる。
【００３６】
また、本発明の請求項５においては、前記金属板には、前記枠装飾体の裏面に取り付けられる構成部材を裏面側に逃がす逃げ穴を設けたことを特徴とする。このように構成することにより、透明板保持枠を軽量化することができ、さらには枠装飾体と金属板との間隔を極力狭めて、枠装飾体と金属板とを一体化することで、透明板保持枠の強度向上を招来することができる。
【図面の簡単な説明】
【図１】
本発明の一実施形態における弾球遊技機を示す正面図である。
【図２】
前面枠を開放した状態の弾球遊技機を示す斜視図である。
【図３】
弾球遊技機を示す分解斜視図である。
【図４】
同図（Ａ）は補強金属板を示す背面図であり、同図（Ｂ）は枠装飾体を示す背面図である。
【図５】
同図（Ａ）はガラス板保持枠を示す背面図であり、同図（Ｂ）はガラス板保持枠を示す側面図である。
【図６】
第二実施形態の弾球遊技機を示す分解斜視図である。
【図７】
第二実施形態のガラス板保持枠を示す分解斜視図である。
【図８】
同図（Ａ）は第二実施形態のガラス板保持枠を示す背面図であり、同図（Ｂ）は第二実施形態のガラス板保持枠を示す側面図である。
【図９】
第三実施形態のガラス板保持枠を示す部分斜視図である。
【符号の説明】
１  弾球遊技機
２  外枠
３  前面枠
３ｅ  フック挿通口
３ｆ  段差部
３ｇ  回動軸部
３ｈ  回動取付部
４  ガラス板保持枠（透明板保持枠）
５  円形透視窓（開口）
２６  施錠装置
２６ａ  シリンダー錠
２６ｃ  開放操作部
４０  遊技盤
５０  枠装飾体
５１  周縁フランジ部
５２  補強リブ
５３  取付ボス
５４  取付ピン
５５〜５７  基板
５８  取付爪
５９  透明部材
６１  軸支ピン
６３  軸受金具
７０  補強金属板（矩形金属板）
７１  周縁フランジ部
７２  補強隆起部
７３  取付穴
７４〜７９  逃げ穴
８０  配線
８１  配線押え爪
８２  係合フック
９０  ガラス板ユニット
９１  複層ガラス板（透明板）
９２  ガラス枠
９３  取付片
９４  止め金具
１００  ガラス板保持枠
１１０  枠装飾体
１１１  周縁フランジ部
１２０  補強金属枠
１２１〜１２４  金属部材
１２５・１２６  補強金属体
１５０  ガラス板保持枠
１５１  補強金属板
１５２  透過穴
１５３  切欠部
１５４  連結蝶番